(57)【要約】【課題】被検体に生じた１つ以上の病変部位について、病変部位ごとに診断画像を生成することができる医用画像診断装置を提供すること。【解決手段】実施形態に係る医用画像診断装置は、第１の収集部と、第２の収集部と、画像生成部とを備える。第１の収集部は、第１の検出器を介して被検体の第１の領域からデータを収集する。第２の収集部は、第２の検出器を介して前記被検体の前記第１の領域とは異なる第２の領域からデータを収集する。画像生成部は、前記第１の収集部によって収集されたデータから第１の診断画像を生成し、前記第２の収集部によって収集されたデータから第２の診断画像を生成する。【選択図】図１
2013240586.tif 000002
【特許請求の範囲】
【請求項１】
第１の検出器を介して被検体の第１の領域からデータを収集する第１の収集部と、
第２の検出器を介して前記被検体の前記第１の領域とは異なる第２の領域からデータを収集する第２の収集部と、
前記第１の収集部によって収集されたデータから第１の診断画像を生成し、前記第２の収集部によって収集されたデータから第２の診断画像を生成する画像生成部と
を備える、医用画像診断装置。
【請求項２】
前記第１の収集部と前記第２の収集部とが同時にデータ収集を開始するように制御する収集制御部をさらに備える、
請求項１に記載の医用画像診断装置。
【請求項３】
前記第１の収集部がデータ収集を開始した後に、所定の時間が経過してから前記第２の収集部がデータ収集を開始するように制御する収集制御部をさらに備える、
請求項１に記載の医用画像診断装置。
【請求項４】
前記第１の収集部及び前記第２の収集部によるデータ収集が終了した後に、前記第２の検出器を移動させる検出器制御部をさらに備え、
前記第２の収集部は、前記第２の検出器が移動された後に、当該第２の検出器を介して前記第１の領域からデータを収集する、
請求項３に記載の医用画像診断装置。
【請求項５】
前記第１の収集部及び前記第２の収集部によるデータ収集が終了した後に、前記第２の検出器を移動させる検出器制御部をさらに備え、
前記第２の収集部は、前記第２の検出器が移動された後に、当該第２の検出器を介して前記第１の領域及び前記第２の領域とは異なる第３の領域からデータを収集する、
請求項３に記載の医用画像診断装置。
【請求項６】
前記第１の収集部及び前記第２の収集部によるデータ収集が終了した後に、前記被検体が載置される寝台を制御して前記被検体を移動する寝台制御部をさらに備え、
前記第２の収集部は、前記被検体が移動された後に、当該第２の検出器を介して前記第１の領域からデータを収集する、
請求項３に記載の医用画像診断装置。
【請求項７】
前記第１の収集部及び前記第２の収集部によるデータ収集が終了した後に、前記被検体が載置される寝台を制御して前記被検体を移動する寝台制御部をさらに備え、
前記第２の収集部は、前記被検体が移動された後に、当該第２の検出器を介して前記第１の領域及び前記第２の領域とは異なる第３の領域からデータを収集する、
請求項３に記載の医用画像診断装置。
【請求項８】
円筒状のボア内に静磁場を発生させる静磁場磁石と、
前記ボア内に配置された被検体に傾斜磁場を印加する傾斜磁場コイルと、
前記被検体に高周波磁場を印加する送信用高周波コイルと、
前記高周波磁場の印加により前記被検体から発せられる磁気共鳴信号を検出する受信用高周波コイルと、
前記被検体に投与された陽電子放出核種から放出されるガンマ線を検出するＰＥＴ検出器とをさらに備え、
前記第１の収集部は、前記受信用高周波コイル及び前記ＰＥＴ検出器のうちいずれか一方の検出器を介して前記第１の領域からデータを収集し、
前記第２の収集部は、前記受信用高周波コイル及び前記ＰＥＴ検出器のうち前記一方の検出器ではない他方の検出器を介して前記第２の領域からデータを収集する、
請求項１〜７のいずれか一つに記載の医用画像診断装置。
【請求項９】
前記ＰＥＴ検出器は、第１のＰＥＴ検出器及び第２のＰＥＴ検出器を含み、
前記第１のＰＥＴ検出器と前記第２のＰＥＴ検出器とは、前記医用画像診断装置で規定される磁場中心に対して非対称に配置される、
請求項８に記載の医用画像診断装置。
【請求項１０】
被検体に投与された陽電子放出核種から放出されるガンマ線を検出する第１のＰＥＴ検出器と、
前記被検体に投与された陽電子放出核種から放出されるガンマ線を検出する第２のＰＥＴ検出器とをさらに備え、
前記第１の収集部は、前記第１のＰＥＴ検出器及び前記第２のＰＥＴ検出器のうちいずれか一方の検出器を介して前記第１の領域からデータを収集し、
前記第２の収集部は、前記第１のＰＥＴ検出器及び前記第２のＰＥＴ検出器のうち前記一方の検出器ではない他方の検出器を介して前記第２の領域からデータを収集する、
請求項１〜７のいずれか一つに記載の医用画像診断装置。
【請求項１１】
被検体にＸ線を照射するＸ線管と前記被検体を透過したＸ線を検出するＸ線検出器とを前記被検体を略中心に回転させる回転駆動部と、
前記被検体に投与された陽電子放出核種から放出されるガンマ線を検出するＰＥＴ検出器とをさらに備え、
前記第１の収集部は、前記Ｘ線検出器及び前記ＰＥＴ検出器のうちいずれか一方の検出器を介して前記第１の領域からデータを収集し、
前記第２の収集部は、前記Ｘ線検出器及び前記ＰＥＴ検出器のうち前記一方の検出器ではない他方の検出器を介して前記第２の領域からデータを収集する、
請求項１〜７のいずれか一つに記載の医用画像診断装置。
【請求項１２】
前記第１の検出器と前記第２の検出器とは、前記医用画像診断装置で規定される中心に対して非対称に配置される、
請求項１〜１１のいずれか一つに記載の医用画像診断装置。
【請求項１３】
前記第１の検出器と前記第２の検出器とは、前記被検体の体軸方向に非対称に配置される、
請求項１２に記載の医用画像診断装置。
【請求項１４】
前記第１の検出器と前記第２の検出器とは、水平方向に非対称に配置される、
請求項１２に記載の医用画像診断装置。
【請求項１５】
前記第１の検出器と前記第２の検出器とは、前記医用画像診断装置で規定される中心に対して非対称に配置される、
請求項１〜１４のいずれか一つに記載の医用画像診断装置。
【請求項１６】
前記第１の領域と前記第２の領域とは、前記被検体の体軸方向に非対称に配置される、
請求項１５に記載の医用画像診断装置。
【請求項１７】
前記第１の領域と前記第２の領域とは、水平方向に非対称に配置される、
請求項１６に記載の医用画像診断装置。
【請求項１８】
前記第１の収集部は、前記第１の領域から前記被検体の第１の反応に関するデータを収集し、
前記第２の収集部は、前記第２の領域から前記被検体の第１の反応とは異なる第２の反応に関するデータを収集する、
請求項１〜１７のいずれか一つに記載の医用画像診断装置。
【請求項１９】
前記第１の領域と前記第２の領域とは、前記第１の領域の一部分と前記第２の領域の一部分とが重なる、
請求項１〜１８のいずれか一つに記載の医用画像診断装置。
【請求項２０】
前記第１の領域と、前記第２の領域と、前記第１の領域からデータを収集するタイミングと、前記第２の領域からデータを収集するタイミングとを少なくとも含んだ撮像条件を操作者から受け付ける受付部と、
前記撮像条件にしたがって前記第１の収集部及び前記第２の収集部を制御する収集制御部とをさらに備える、
請求項１に記載の医用画像診断装置。
【発明の詳細な説明】
【技術分野】
【０００１】
本発明の実施形態は、医用画像診断装置に関する。
【背景技術】
【０００２】
従来、病院等の医療の現場では、ＭＲＩ（Magnetic  Resonance  Imaging）装置やＸ線ＣＴ（Computed  Tomography）装置、ＰＥＴ（Positron  Emission  Tomography）装置などの医用画像診断装置を用いた画像診断が広く行われている。また、近年では、ＰＥＴ装置とＸ線ＣＴ装置とを組み合わせたＰＥＴ−ＣＴ装置や、ＰＥＴ装置とＭＲＩ装置とを組み合わせたＰＥＴ−ＭＲＩ装置などの複合的な医用画像診断装置も製品化されている。
【先行技術文献】
【特許文献】
【０００３】
【特許文献１】特表２００８−５２５１６１号公報
【発明の概要】
【発明が解決しようとする課題】
【０００４】
本発明が解決しようとする課題は、被検体に生じた１つ以上の病変部位について、病変部位ごとに診断画像を生成することができる医用画像診断装置を提供することである。
【課題を解決するための手段】
【０００５】
実施形態に係る医用画像診断装置は、第１の収集部と、第２の収集部と、画像生成部とを備える。第１の収集部は、第１の検出器を介して被検体の第１の領域からデータを収集する。第２の収集部は、第２の検出器を介して前記被検体の前記第１の領域とは異なる第２の領域からデータを収集する。画像生成部は、前記第１の収集部によって収集されたデータから第１の診断画像を生成し、前記第２の収集部によって収集されたデータから第２の診断画像を生成する。
【図面の簡単な説明】
【０００６】
【図１】図１は、第１の実施形態に係るＰＥＴ−ＭＲＩ装置の構成を示す図である。
【図２】図２は、第１の実施形態に係るＰＥＴ検出器の周辺における各部の配置を示す図である。
【図３】図３は、第１の実施形態に係るＰＥＴ検出器の移動機構を説明するための図である。
【図４】図４は、第１の実施形態に係るＰＥＴ−ＭＲＩ装置における有効撮像領域を示す図である。
【図５】図５は、２つの領域における血管性反応及び代謝性反応を説明するための図である。
【図６】図６は、第１の診断例における被検体の配置を示す図である。
【図７】図７は、第１の診断例における診断画像の撮像の流れを示すフローチャートである。
【図８】図８は、第２の診断例における被検体の配置を示す図である。
【図９】図９は、第２の診断例における診断画像の撮像の流れを示すフローチャートである。
【図１０】図１０は、第３の診断例における被検体の配置を示す図である。
【図１１】図１１は、第３の診断例における診断画像の撮像の流れを示すフローチャートである。
【図１２】図１２は、第１の実施形態に係るＰＥＴ検出器の配置に関する他の例を示す図である。
【図１３】図１３は、第２の実施形態に係るＰＥＴ−ＣＴ装置の構成を示す図である。
【図１４】図１４は、第２の実施形態に係るＰＥＴ用架台装置の構成を示す図である。
【図１５】図１５は、第２の実施形態に係るＣＴ用架台装置の構成を示す図である。
【発明を実施するための形態】
【０００７】
以下、図面を参照して、医用画像診断装置の実施形態を説明する。なお、以下では、第１の実施形態として、ＰＥＴ−ＭＲＩ装置の実施形態を説明する。また、第２の実施形態として、ＰＥＴ−ＣＴ装置の実施形態を説明する。
【０００８】
（第１の実施形態）
まず、第１の実施形態について説明する。図１は、第１の実施形態に係るＰＥＴ−ＭＲＩ装置の構成を示す図である。図１に示すように、このＰＥＴ−ＭＲＩ装置１００は、静磁場磁石１、寝台２、傾斜磁場コイル３、傾斜磁場コイル駆動回路４、送信用高周波コイル５、送信部６、受信用高周波コイル７、受信部８、ＭＲデータ収集部９、ＰＥＴ検出器１０ａ及び１０ｂ、信号線１１、ＰＥＴデータ収集部１２、シーケンスコントローラ１３、ＰＥＴ検出器用電源１４、電源ケーブル１５、計算機１６、コンソール１７、及びディスプレイ１８を有する。
【０００９】
静磁場磁石１は、略円筒状のボア内に静磁場を発生させる。ここで、ボアとは、静磁場磁石１や傾斜磁場コイル３などを収容する略円筒状の架台の内壁として形成される空間である。なお、以下では、ボアを形成する内壁をボア内壁と呼ぶ。寝台２は、被検体Ｐが載せられる天板２ａを有する。この寝台２は、撮像時には、天板２ａをボア内へ移動することで、被検体Ｐを静磁場内に移動する。
【００１０】
傾斜磁場コイル３は、被検体Ｐに対して、静磁場と同一方向（Ｚ方向）の磁場強度が磁場中心からのＸ，Ｙ，Ｚ方向の距離に対してほぼ線形に変化する傾斜磁場Ｇｘ，Ｇｙ，Ｇｚを印加する。この傾斜磁場コイル３は、略円筒状に形成され、静磁場磁石１の内周側に配置される。傾斜磁場コイル駆動回路４は、シーケンスコントローラ１３による制御のもと、傾斜磁場コイル３を駆動する。
【００１１】
送信用高周波コイル５は、送信部６から送信される高周波パルスに基づいて、静磁場内に置かれた被検体Ｐに高周波磁場を印加する。この送信用高周波コイル５は、略円筒状に形成され、傾斜磁場コイル３の内周側に配置される。送信部６は、シーケンスコントローラ１３による制御のもと、送信用高周波コイル５に高周波パルスを送信する。
【００１２】
受信用高周波コイル７は、高周波磁場及び傾斜磁場の印加により被検体Ｐから発せられる磁気共鳴信号を検出する。例えば、受信用高周波コイル７は、撮像対象の部位に応じて被検体Ｐの表面に配置される表面コイルである。例えば、被検体Ｐの体部が撮像される場合には、２つの受信用高周波コイル７が被検体の上部及び下部に配置される。受信部８は、シーケンスコントローラ１３による制御のもと、受信用高周波コイル７によって検出された磁気共鳴信号を受信する。そして、受信部８は、受信した磁気共鳴信号をＭＲデータ収集部９に送る。
【００１３】
ＭＲデータ収集部９は、受信用高周波コイル７を介してＭＲデータを収集する。具体的には、ＭＲデータ収集部９は、受信部８から送られた磁気共鳴信号を増幅及び検波した後にＡ／Ｄ変換することで、ＭＲデータを収集する。そして、ＭＲデータ収集部９は、収集したＭＲデータを計算機１６に送る。
【００１４】
ＰＥＴ検出器１０ａ及び１０ｂは、被検体Ｐに投与された陽電子放出核種から放出されるガンマ線を計数情報として検出する。これらＰＥＴ検出器１０ａ及び１０ｂは、リング状に形成され、送信用高周波コイル５の内周側に配置される。そして、ＰＥＴ検出器１０ａ及び１０ｂは、検出した計数情報を、信号線１１を介してＰＥＴデータ収集部１２に送る。
【００１５】
例えば、ＰＥＴ検出器１０ａ及び１０ｂは、シンチレータと光検出器とを有する検出器モジュールをリング状に配置することで形成される。シンチレータは、例えば、ＬＹＳＯ（Lutetium  Yttrium  Oxyorthosilicate）、ＬＳＯ（Lutetium  Oxyorthosilicate）、ＬＧＳＯ（Lutetium  Gadolinium  Oxyorthosilicate）などである。また、光検出器は、例えば、ＡＰＤ（Avalanche  Photodiode）素子やＳｉＰＭ（Silicon  Photomultiplier）などの半導体検出器や、光電子増倍管（Photomultiplier  Tube：ＰＭＴ）である。
【００１６】
ここで、第１の実施形態に係るＰＥＴ検出器１０ａ及び１０ｂの配置について説明する。図２は、第１の実施形態に係るＰＥＴ検出器１０ａ及び１０ｂの周辺における各部の配置を示す図である。なお、図２において、点２０は静磁場の磁場中心を示しており、点線で囲まれた球状の領域２１は、ＭＲ画像の有効撮像領域を示している。図２に示すように、例えば、ＰＥＴ検出器１０ａ及び１０ｂは、ボア内壁２２の内周側に配置される。
【００１７】
そして、ＰＥＴ検出器１０ａ及び１０ｂは、ボアの軸方向へ移動可能に設けられ、それぞれ移動機構によって移動される。図３は、第１の実施形態に係るＰＥＴ検出器１０ａ及び１０ｂの移動機構を説明するための図である。この図３は、ボアの軸方向に見た場合のＰＥＴ検出器１０ａ及び１０ｂの周辺における各部の配置を示しており、ＰＥＴ検出器１０ａが配置された側の開口部からボア内を見た場合の各部の配置を示している。
【００１８】
図３に示すように、ＰＥＴ−ＭＲＩ装置１００は、ボアの軸方向に沿ってＰＥＴ検出器１０ａを移動する移動機構２３を有する。この移動機構２３は、計算機１６による制御のもと、ボアの軸方向に沿ってＰＥＴ検出器１０ａを移動する。
【００１９】
例えば、移動機構２３は、ボア内壁２２の下側の部分に設置された２本のレールである。この移動機構２３は、例えば、ＰＥＴ検出器１０ａの外周面に形成された溝状に形成されたレール受け部に嵌合し、ＰＥＴ検出器１０ａをボアの軸方向に沿って移動可能に支持する。なお、ＰＥＴ検出器１０ｂの側にも同様に、ＰＥＴ検出器１０ｂを移動するための移動機構２３が設けられる。
【００２０】
本実施形態に係るＰＥＴ−ＭＲＩ装置１００では、上述したＰＥＴ検出器１０ａ及び１０ｂによって、ＰＥＴ画像を撮像するための有効撮像領域が設定される。図４は、第１の実施形態に係るＰＥＴ−ＭＲＩ装置１００における有効撮像領域を示す図である。なお、図４において、破線２６は、ボアの軸方向における中央の位置を示している。
【００２１】
図４に示すように、ＰＥＴ−ＭＲＩ装置１００では、ボアの軸方向における中央付近に、ＭＲ画像の有効撮像領域であるＭＲ撮像領域２１が設定される。ここで、ＭＲ撮像領域２１は、磁場の均一性に応じて定められる球状の領域であり、一定以上の画質や画像歪が保証される領域である。
【００２２】
また、ＰＥＴ−ＭＲＩ装置１００では、ＰＥＴ画像を撮像するための有効領域である第１のＰＥＴ撮像領域２５ａと、第２のＰＥＴ撮像領域２５ｂと、第３のＰＥＴ撮像領域２７とが設定される。ここで、第１のＰＥＴ撮像領域２５ａは、ＰＥＴ検出器１０ａの内周面で囲まれた領域である。また、第２のＰＥＴ撮像領域２５ｂは、ＰＥＴ検出器１０ｂの内周面で囲まれた領域である。
【００２３】
また、第３のＰＥＴ撮像領域２７は、ＰＥＴ検出器１０ａ及び１０ｂの中心軸を通る平面上でＰＥＴ検出器１０ａの内周面とＰＥＴ検出器１０ｂの内周面との間に形成されるＸ字状の領域の交差部分を、当該中心軸を回転中心として１回転させて得られる領域である。この第３のＰＥＴ撮像領域２７は、円錐の底面を張り合わせた形状の領域となる。この第３のＰＥＴ撮像領域２７の中から放出されるガンマ線は、２つのＰＥＴ検出器を用いて検出されるため、検出される確率が高くなる。
【００２４】
ここで説明した第１のＰＥＴ撮像領域２５ａ、第２のＰＥＴ撮像領域２５ｂ、及び第３のＰＥＴ撮像領域２７は、ＰＥＴ検出器１０ａ及び１０ｂを移動させることによって、ボアの軸方向に垂直な方向の長さが変化し、大きさが変化する。なお、ＰＥＴ検出器１０ａ及び１０ｂは、移動機構２３によって移動され、振動緩衝機構２４によって傾斜磁場コイル３からの振動が低減される。
【００２５】
このように、第１の実施形態に係るＰＥＴ−ＭＲＩ装置１００では、ＭＲ撮像領域２１、第１のＰＥＴ撮像領域２５ａ、第２のＰＥＴ撮像領域２５ｂ、第３のＰＥＴ撮像領域２７の４つの有効撮像領域が設定される。そして、このＰＥＴ−ＭＲＩ装置１００では、これら複数の有効撮像領域に対して診断対象となる被検体の複数の領域をそれぞれ配置することで、被検体Ｐに生じた１つ以上の病変部位ごとにデータを収集することができる。
【００２６】
なお、例えば、ＰＥＴ検出器１０ａとＰＥＴ検出器１０ｂとは、ＰＥＴ−ＭＲＩ装置１００で規定される中心に対して非対称に配置される。具体的には、図４に示すように、ＰＥＴ検出器１０ａとＰＥＴ検出器１０ｂとは、ＰＥＴ−ＭＲＩ装置１００で規定される磁場中心に対して非対称に配置される。また、図４に示すように、ＰＥＴ検出器１０ａとＰＥＴ検出器１０ｂとは、被検体の体軸方向に非対称に配置される。なお、被検体の体軸方向は、通常はボアの軸方向（Ｚ軸方向）である。
【００２７】
この場合には、第１のＰＥＴ撮像領域２５ａと第２のＰＥＴ撮像領域２５ｂとは、ＰＥＴ−ＭＲＩ装置１００で規定される中心に対して非対称に配置されることになる。具体的には、図４に示したように、第１のＰＥＴ撮像領域２５ａと第２のＰＥＴ撮像領域２５ｂとは、ＰＥＴ−ＭＲＩ装置１００で規定される磁場中心に対して非対称に配置されることになる。また、図４に示したように、第１のＰＥＴ撮像領域２５ａと第２のＰＥＴ撮像領域２５ｂとは、被検体の体軸方向に非対称に配置される。
【００２８】
また、受信用高周波コイル７が、水平方向（Ｘ軸方向）に並ぶ複数のコイルエレメントを有する場合には、複数のコイルエレメントを水平方向に複数のセクションに区切って、一部のセクションのみをデータ収集に用いることもできる。この場合には、データ収集に用いるコイルエレメントのセクションと各ＰＥＴ検出器とは、水平方向に非対称に配置されることになる。つまり、ＰＥＴ−ＭＲＩ装置１００では、磁気共鳴信号を受信するコイルエレメントと、ガンマ線を検出するＰＥＴ検出器とを、水平方向に非対称に配置することができる。
【００２９】
この場合には、ＭＲ撮像領域と各ＰＥＴ撮像領域とは、ボアの軸に対して水平方向に非対称に配置されることになる。なお、受信用高周波コイル７に含まれる一部のコイルエレメントのセクションのみを用いるのではなく、天板２ａを移動させることでも、ＭＲ撮像領域を水平方向にずらすことができる。これによっても、ＭＲ撮像領域と各ＰＥＴ撮像領域とを、ボアの軸に対して水平方向に非対称に配置させることができる。
【００３０】
さらに、被検体Ｐの上下方向における一部を局所的に励起することで、ＭＲ撮像領域を上下方向にずらすことも可能である。これにより、ＭＲ撮像領域と各ＰＥＴ撮像領域とを、ボアの軸に対して上下方向に非対称に配置させることもできる。すなわち、ＰＥＴ−ＭＲＩ装置１００では、ボアの軸に対して、Ｘ軸方向、Ｙ軸方向及びＺ軸方向の全ての方向に、ＭＲ撮像領域と各ＰＥＴ撮像領域とを非対称に配置させることができる。
【００３１】
また、本実施形態では、例えば、図４に示すように、ＭＲ撮像領域２１と第３のＰＥＴ撮像領域２７とは、ＭＲ撮像領域２１の一部分と第３のＰＥＴ撮像領域２７の一部分とが重なるように設定される。言い換えると、ＭＲ撮像領域２１は、少なくとも一部分が第３のＰＥＴ撮像領域２７と重ならないように設定され、かつ、第３のＰＥＴ撮像領域２７は、少なくとも一部分がＭＲ撮像領域２１と重ならないように設定される。つまり、ＭＲ撮像領域２１は、その全体が第３のＰＥＴ撮像領域２７に包含されるものではなく、逆に、第３のＰＥＴ撮像領域２７は、その全体がＭＲ撮像領域２１に包含されるものではない。
【００３２】
同様に、例えば、図４に示すように、ＭＲ撮像領域２１と第１のＰＥＴ撮像領域２５ａとは、ＭＲ撮像領域２１の一部分と第１のＰＥＴ撮像領域２５ａの一部分とが重なるように設定される。また、例えば、図４に示すように、第１のＰＥＴ撮像領域２５ａと第３のＰＥＴ撮像領域２７とは、第１のＰＥＴ撮像領域２５ａの一部分と第３のＰＥＴ撮像領域２７の一部分とが重なるように設定される。また、第２のＰＥＴ撮像領域２５ｂと第３のＰＥＴ撮像領域２７とは、第２のＰＥＴ撮像領域２５ｂの一部分と第３のＰＥＴ撮像領域２７の一部分とが重なるように設定される。
【００３３】
図１の説明にもどって、ＰＥＴデータ収集部１２は、ＰＥＴ検出器１０ａ及び１０ｂを介して同時計数データを収集する。具体的には、ＰＥＴデータ収集部１２は、ＰＥＴ検出器１０ａ及び１０ｂによって検出されたガンマ線の計数情報を用いて、陽電子放出核種から放出されたガンマ線（消滅放射線を含む）を略同時に検出した計数情報の組み合わせたデータを生成することで、同時計数データを収集する。そして、ＰＥＴデータ収集部１２は、収集した同時計数データを計算機１６に送る。
【００３４】
シーケンスコントローラ１３は、計算機１６によって設定される各種撮像シーケンスに基づいて、上述した各部を制御する。
【００３５】
ＰＥＴ検出器用電源１４は、電源ケーブル１５を介して、光検出器を駆動するための電力をＰＥＴ検出器１０ａ及び１０ｂに供給する。
【００３６】
計算機１６は、ＰＥＴ−ＭＲＩ装置１００の全体を制御する。この計算機１６は、操作者から各種操作を受け付けるコンソール１７と、医用画像やＧＵＩ（Graphical  User  Interface）などの各種情報を表示するディスプレイ１８とを有する。また、計算機１６は、各種プログラムを実行させることで各種処理を実行するＣＰＵ（Central  Processing  Unit）やメモリなどを有する。また、計算機１６は、収集制御部１６ａと、検出器制御部１６ｂと、寝台制御部１６ｃと、画像生成部１６ｄとを有する。これらの機能部は、例えば、上記ＣＰＵやメモリなどによって各種プログラムを実行することで実現される。
【００３７】
収集制御部１６ａは、操作者からの指示に応じて、ＭＲデータ収集部９及びＰＥＴデータ収集部１２を制御する。例えば、収集制御部１６ａは、ＭＲデータ収集部９とＰＥＴデータ収集部１２とが同時にデータ収集を開始するように制御する。または、例えば、収集制御部１６ａは、ＭＲデータ収集部９がデータ収集を開始した後に、所定の時間が経過してからＰＥＴデータ収集部１２がデータ収集を開始するように制御する。
【００３８】
検出器制御部１６ｂは、ＰＥＴ検出器１０ａ及び１０ｂの移動を制御する。具体的には、検出器制御部１６ｂは、移動機構２３を動作させることにより、ＰＥＴ検出器１０ａ及び１０ｂをボアの軸方向へ移動させる。
【００３９】
寝台制御部１６ｃは、被検体Ｐが載置される寝台２の動作を制御する。例えば、寝台制御部１６ｃは、寝台２を制御することで、被検体Ｐが載せられる天板２ａをボアの軸方向へ移動させる。
【００４０】
画像生成部１６ｄは、ＭＲデータ収集部９によって収集されたＭＲデータからＭＲ診断画像を生成し、ＰＥＴデータ収集部１２によって収集された同時計数データからＰＥＴ診断画像を生成する。そして、画像生成部１６ｄは、生成したＭＲ診断画像及びＰＥＴ診断画像をディスプレイ１８に表示させる。
【００４１】
例えば、画像生成部１６ｄは、ＭＲ診断画像として、ＤＷＩ（Diffusion  Weighted  Imaging）画像やＰＷＩ（Perfusion  Weighted  Imaging）画像、ｆＭＲＩ（functional  ＭＲＩ）画像などの機能画像や、Ｔ1Ｗ（Ｔ1  Ｗｅｉｇｈｔｅｄ）画像、Ｔ2Ｗ（Ｔ2  Ｗｅｉｇｈｔｅｄ）画像、ＭＲＡ（ＭＲ  Angiography）画像などの形態画像を生成する。また、例えば、画像生成部１６ｄは、ＰＥＴ診断画像として、代謝イメージング（metabolic  imaging）画像や、特定のバイオマーカを対象とした分子イメージング（molecular  imaging）画像などの機能画像を生成する。
【００４２】
このように、画像生成部１６ｄが、各種の診断画像を生成することで、被検体Ｐに生じた１つ以上の病変部位ごとに、当該病変部位の診断に適した診断画像を生成することができる。なお、ここでいう、診断とは、例えば、病変部位における血管性反応や代謝性反応を観察することである。例えば、血管性反応は、形態画像を診断画像として用いることによって観察することができる。また、代謝性反応は、機能画像を診断画像として用いることによって観察することができる。
【００４３】
図５は、２つの領域における血管性反応及び代謝性反応を説明するための図である。図５の上側の図に示すように、血管性反応と代謝性反応とは時間応答性が異なっており、被検体Ｐに薬剤を投入した後、先に血管性反応がピークとなり、その後、代謝性反応がピークとなる。このような血管性反応及び代謝性反応を複数の領域ごとに観察することで、１つ以上の病変部位に関連するような疾病の診断を行うことができるようになる。また、図５の下側は、上側の図とは異なる領域における血管性反応及び代謝性反応を表している。例えば、同じ血管性反応でも、異なる領域では時間的、質的に異なることを示している。
【００４４】
以上、本実施形態に係るＰＥＴ−ＭＲＩ装置１００の構成について説明した。このような構成により、本実施形態に係るＰＥＴ−ＭＲＩ装置１００は、被検体Ｐに生じた１つ以上の病変部位について、当該病変部位ごとに診断画像を生成することができる。以下では、かかるＰＥＴ−ＭＲＩ装置１００の機能について、具体的な診断例を挙げて詳細に説明する。
【００４５】
まず、第１の診断例として、脳血管領域の血管性反応をＭＲ診断画像で観察し、頭頂部領域、頸部領域及び腹部領域の血管性反応をＰＥＴ診断画像で観察し、さらに、頭頂部領域、頸部領域及び腹部領域の代謝性反応をＰＥＴ診断画像で観察する場合について説明する。
【００４６】
図６は、第１の診断例における被検体Ｐの配置を示す図であり、図７は、第１の診断例における診断画像の撮像の流れを示すフローチャートである。なお、図７に示すフローチャートでは、ＰＥＴ検出器１０ａを第１のＰＥＴ検出器と示し、ＰＥＴ検出器１０ｂを第２のＰＥＴ検出器と示している。
【００４７】
図６に示すように、第１の診断例では、被検体Ｐは、ＰＥＴ−ＭＲＩ装置１００に対して、脳血管領域の全体がＭＲ撮像領域２１に含まれ、頭頂部が第１のＰＥＴ撮像領域２５ａに含まれ、頸部が第３のＰＥＴ撮像領域２７に含まれ、腹部が第２のＰＥＴ撮像領域２５ｂに含まれるように配置される。
【００４８】
そして、図７に示すように、まず、ＭＲデータ収集部９が、受信用高周波コイル７を介して脳血管領域からデータを収集する（ステップＳ１０１）。そして、画像生成部１６ｄが、ＭＲデータ収集部９によって収集されたデータから、脳血管領域の血管性反応を表すＭＲ診断画像を生成する（ステップＳ１０２）。例えば、画像生成部１６ｄは、ＰＷＩ画像を生成する。これにより、操作者は、脳血管領域の血管性反応を観察することができる。
【００４９】
また、ＰＥＴデータ収集部１２が、ＰＥＴ検出器１０ａを介して頭頂部領域からデータを収集する（ステップＳ１０３）。そして、画像生成部１６ｄが、ＰＥＴデータ収集部１２によって収集されたデータから、頭頂部領域の血管性反応を表すＰＥＴ診断画像を生成する（ステップＳ１０４）。これにより、操作者は、頭頂部領域の血管性反応を観察することができる。
【００５０】
また、ＰＥＴデータ収集部１２が、ＰＥＴ検出器１０ａ及び１０ｂを介して頸部領域からデータを収集する（ステップＳ１０５）。そして、画像生成部１６ｄが、ＰＥＴデータ収集部１２によって収集されたデータから、頸部領域の血管性反応を表すＰＥＴ診断画像を生成する（ステップＳ１０６）。これにより、操作者は、頸部領域の血管性反応を観察することができる。
【００５１】
また、ＰＥＴデータ収集部１２が、ＰＥＴ検出器１０ｂを介して腹部領域からデータを収集する（ステップＳ１０７）。そして、画像生成部１６ｄが、ＰＥＴデータ収集部１２によって収集されたデータから、腹部領域の血管性反応を表すＰＥＴ診断画像を生成する（ステップＳ１０８）。これにより、操作者は、腹部領域の血管性反応を観察することができる。
【００５２】
その後、ＰＥＴデータ収集部１２が、ＰＥＴ検出器１０ａを介して頭頂部領域からさらにデータを収集する（ステップＳ１０９）。そして、画像生成部１６ｄが、ＰＥＴデータ収集部１２によって収集されたデータから、頭頂部領域の代謝性反応を表すＰＥＴ診断画像を生成する（ステップＳ１１０）。これにより、操作者は、頭頂部領域の代謝性反応を観察することができる。
【００５３】
また、ＰＥＴデータ収集部１２が、ＰＥＴ検出器１０ａ及び１０ｂを介して頸部領域からさらにデータを収集する（ステップＳ１１１）。そして、画像生成部１６ｄが、ＰＥＴデータ収集部１２によって収集されたデータから、頸部領域の代謝性反応を表すＰＥＴ診断画像を生成する（ステップＳ１１２）。これにより、操作者は、頸部領域の代謝性反応を観察することができる。
【００５４】
また、ＰＥＴデータ収集部１２が、ＰＥＴ検出器１０ｂを介して腹部領域からさらにデータを収集する（ステップＳ１１３）。そして、画像生成部１６ｄが、ＰＥＴデータ収集部１２によって収集されたデータから、腹部領域の代謝性反応を表すＰＥＴ診断画像を生成する（ステップＳ１１４）。これにより、操作者は、腹部領域の代謝性反応を観察することができる。
【００５５】
このように、第１の診断例では、ＰＥＴ検出器１０ａ及び１０ｂの位置を固定した状態で、脳血管領域、頭頂部領域、頸部領域及び腹部領域の血管性反応を観察するための診断画像が生成され、その後、頭頂部領域、頸部領域及び腹部領域の代謝性反応を観察するための診断画像が生成される。なお、上述したＭＲデータ収集部９及びＰＥＴデータ収集部１２の動作は、収集制御部１６ａによって制御されるが、ＭＲデータ収集部９とＰＥＴデータ収集部１２とは、同時にデータ収集を開始してもよいし、異なるタイミングでデータ収集を開始してもよい。
【００５６】
次に、第２の診断例として、脳血管領域の血管性反応をＭＲ診断画像で観察し、頸部領域及び腹部領域の血管性反応をＰＥＴ診断画像で観察し、さらに、頭部領域の代謝性反応をＰＥＴ診断画像で観察する場合について説明する。
【００５７】
図８は、第２の診断例における被検体Ｐの配置を示す図であり、図９は、第２の診断例における診断画像の撮像の流れを示すフローチャートである。なお、図９に示すフローチャートでは、ＰＥＴ検出器１０ａを第１のＰＥＴ検出器と示し、ＰＥＴ検出器１０ｂを第２のＰＥＴ検出器と示している。
【００５８】
図８の上側に示すように、第２の診断例では、被検体Ｐは、ＰＥＴ−ＭＲＩ装置１００に対して、まずは、図６に示した状態と同様に配置される。
【００５９】
そして、図９に示すように、まず、ＭＲデータ収集部９が、受信用高周波コイル７を介して脳血管領域からデータを収集する（ステップＳ２０１）。そして、画像生成部１６ｄが、ＭＲデータ収集部９によって収集されたデータから、脳血管領域の血管性反応を表すＭＲ診断画像を生成する（ステップＳ２０２）。例えば、画像生成部１６ｄは、ＭＲＡ画像を生成する。これにより、操作者は、脳血管領域の血管性反応を観察することができる。
【００６０】
また、ＰＥＴデータ収集部１２が、ＰＥＴ検出器１０ａ及び１０ｂを介して頸部領域からデータを収集する（ステップＳ２０３）。そして、画像生成部１６ｄが、ＰＥＴデータ収集部１２によって収集されたデータから、頸部領域の血管性反応を表すＰＥＴ診断画像を生成する（ステップＳ２０４）。これにより、操作者は、頸部領域の血管性反応を観察することができる。
【００６１】
また、ＰＥＴデータ収集部１２が、ＰＥＴ検出器１０ｂを介して腹部領域からデータを収集する（ステップＳ２０５）。そして、画像生成部１６ｄが、ＰＥＴデータ収集部１２によって収集されたデータから、腹部領域の血管性反応を表すＰＥＴ診断画像を生成する（ステップＳ２０６）。これにより、操作者は、腹部領域の血管性反応を観察することができる。
【００６２】
その後、検出器制御部１６ｂが、被検体Ｐの足から頭へ向かう方向へＰＥＴ検出器１０ａ及びＰＥＴ検出器１０ｂを移動する（ステップＳ２０７）。これにより、図８の下側に示すように、被検体Ｐは、頭部領域が第３のＰＥＴ撮像領域２７に含まれるように配置される。
【００６３】
続いて、ＰＥＴデータ収集部１２が、ＰＥＴ検出器１０ａ及び１０ｂを介して頭部領域からデータを収集する（ステップＳ２０８）。そして、画像生成部１６ｄが、ＰＥＴデータ収集部１２によって収集されたデータから、頭部領域の代謝性反応を表すＰＥＴ診断画像を生成する（ステップＳ２０９）。これにより、操作者は、頭部領域の代謝性反応を観察することができる。
【００６４】
このように、第２の診断例では、まず、脳血管領域、頸部領域及び腹部領域の血管性反応を観察するための診断画像が生成され、その後、ＰＥＴ検出器１０ａ及び１０ｂが移動された後に、頭部領域の代謝性反応を観察するための診断画像が生成される。なお、上述したＭＲデータ収集部９及びＰＥＴデータ収集部１２の動作は、収集制御部１６ａによって制御されるが、ＭＲデータ収集部９とＰＥＴデータ収集部１２とは、同時にデータ収集を開始してもよいし、異なるタイミングでデータ収集を開始してもよい。
【００６５】
次に、第３の診断例として、脳血管領域の血管性反応をＭＲ診断画像で観察し、頸部領域及び腹部領域の血管性反応をＰＥＴ診断画像で観察し、さらに、心臓領域及び頭部領域の代謝性反応をＰＥＴ診断画像で観察する場合について説明する。
【００６６】
図１０は、第３の診断例における被検体Ｐの配置を示す図であり、図１１は、第３の診断例における診断画像の撮像の流れを示すフローチャートである。なお、図１１に示すフローチャートでは、ＰＥＴ検出器１０ａを第１のＰＥＴ検出器と示し、ＰＥＴ検出器１０ｂを第２のＰＥＴ検出器と示している。
【００６７】
図１０の上側に示すように、第３の診断例では、被検体Ｐは、ＰＥＴ−ＭＲＩ装置１００に対して、まずは、図６に示した状態と同様に配置される。
【００６８】
そして、図１１に示すように、まず、ＭＲデータ収集部９が、受信用高周波コイル７を介して脳血管領域からデータを収集する（ステップＳ３０１）。そして、画像生成部１６ｄが、ＭＲデータ収集部９によって収集されたデータから、脳血管領域の血管性反応を表すＭＲ診断画像を生成する（ステップＳ３０２）。例えば、画像生成部１６ｄは、ＭＲＡ画像を生成する。これにより、操作者は、脳血管領域の血管性反応を観察することができる。
【００６９】
また、ＰＥＴデータ収集部１２が、ＰＥＴ検出器１０ａ及び１０ｂを介して頸部領域からデータを収集する（ステップＳ３０３）。そして、画像生成部１６ｄが、ＰＥＴデータ収集部１２によって収集されたデータから、頸部領域の血管性反応を表すＰＥＴ診断画像を生成する（ステップＳ３０４）。これにより、操作者は、頸部領域の血管性反応を観察することができる。
【００７０】
また、ＰＥＴデータ収集部１２が、ＰＥＴ検出器１０ｂを介して腹部領域からデータを収集する（ステップＳ３０５）。そして、画像生成部１６ｄが、ＰＥＴデータ収集部１２によって収集されたデータから、腹部領域の血管性反応を表すＰＥＴ診断画像を生成する（ステップＳ３０６）。これにより、操作者は、腹部領域の血管性反応を観察することができる。
【００７１】
その後、検出器制御部１６ｂが、被検体Ｐの足から頭へ向かう方向へＰＥＴ検出器１０ａ及びＰＥＴ検出器１０ｂを移動する（ステップＳ３０７）。また、寝台制御部１６ｃが、寝台２を制御して、被検体Ｐが置かれた天板２ａを被検体Ｐの足から頭へ向かう方向へ移動する（ステップＳ３０８）。これにより、図１０の下側に示すように、被検体Ｐは、頭部領域が第１のＰＥＴ撮像領域２５ａに含まれ、心臓領域が第３のＰＥＴ撮像領域２７に含まれるように配置される。
【００７２】
続いて、ＰＥＴデータ収集部１２が、ＰＥＴ検出器１０ａ及び１０ｂを介して心臓領域からデータを収集する（ステップＳ３０９）。そして、画像生成部１６ｄが、ＰＥＴデータ収集部１２によって収集されたデータから、心臓領域の代謝性反応を表すＰＥＴ診断画像を生成する（ステップＳ３１０）。これにより、操作者は、心臓領域の代謝性反応を観察することができる。
【００７３】
また、ＰＥＴデータ収集部１２が、ＰＥＴ検出器１０ａを介して頭部領域からデータを収集する（ステップＳ３１１）。そして、画像生成部１６ｄが、ＰＥＴデータ収集部１２によって収集されたデータから、頭部領域の代謝性反応を表すＰＥＴ診断画像を生成する（ステップＳ３１２）。これにより、操作者は、頭部領域の代謝性反応を観察することができる。
【００７４】
このように、第３の診断例では、まず、脳血管領域、頸部領域及び腹部領域の血管性反応を観察するための診断画像が生成され、その後、ＰＥＴ検出器１０ａ及び１０ｂ、天板２ａがそれぞれ移動された後に、心臓領域及び頭部領域の代謝性反応を観察するための診断画像が生成される。なお、上述したＭＲデータ収集部９及びＰＥＴデータ収集部１２の動作は、収集制御部１６ａによって制御されるが、ＭＲデータ収集部９とＰＥＴデータ収集部１２とは、同時にデータ収集を開始してもよいし、異なるタイミングでデータ収集を開始してもよい。
【００７５】
なお、上述した第１〜第３の診断例では、血管性反応や代謝性反応に関するデータを収集する場合の例について説明した。血管性反応とは、例えば、病変部位の炎症が進んだ際に、その病変部位の周辺で、毛細血管が増加したり、血流が増えたりすることである。このような血管性反応は、例えば、パフュージョン画像などによって観察することができる。また、代謝性反応は、細胞や組織に異常が生じた際に、その細胞や組織の代謝が活発になることである。この代謝性反応によって、被検体内に注入された同位体元素又はその標識化合物が病変部位に取り込まれるようになる。そして、同位体元素又はその標識化合物から放射されるガンマ線を計測することで、ガンマ線の線量分布を示すＰＥＴ画像が得られる。
【００７６】
そして、上記実施形態に係る医用画像診断装置において、診断の対象となる反応はこれに限られない。例えば、医用画像診断装置は、薬剤反応に関するデータを収集してもよい。ここで、薬剤反応とは、細胞や組織に異常が生じた際に、特定の薬剤によって生じる特異的な反応である。そして、診断の対象となる細胞や組織に応じて薬剤を選択して被検体に注入することで、薬剤が異常な細胞や組織に結合した際に、その薬剤の造影効果によって、細胞や組織をＰＥＴ画像やＭＲ画像として画像化することができる。
【００７７】
また、上述した第１〜第３の診断例で説明した撮像の流れは、あらかじめ、操作者によって、対象となる撮像領域や撮像順序が設定される。その場合には、例えば、コンソール１７が、各撮像領域と、各撮像領域からデータを収集するタイミングとを少なくとも含んだ撮像条件を操作者から受け付ける。そして、収集制御部１６ａが、コンソール１７によって受け付けられた撮像条件にしたがって、ＭＲデータ収集部９及びＰＥＴデータ収集部１２を制御する。
【００７８】
例えば、コンソール１７は、各撮像領域や、各撮像領域からデータを収集するタイミングに加えて、被検体に注入さされる造影剤又は薬剤の種類や、造影剤又は薬剤が注入されてからデータ収集を行うまでの待ち時間などを操作者からさらに受け付ける。ここでいう待ち時間は、例えば、造影剤が被検体に注入されてから血管性反応がピークになる時間や、薬剤が被検体に注入されてから代謝性反応がピークとなるまでの時間などである。このとき、例えば、収集制御部１６ａは、造影剤又は薬剤を用いるデータ収集と造影剤又は薬剤を用いないデータ収集とがそれぞれ行われる場合には、造影剤又は薬剤を用いるデータ収集については、造影剤又は薬剤が注入されてからデータ収集を行うまでの待ち時間に基づいて、造影剤又は薬剤を用いないデータ収集データ収集と比べて、優先的に実施タイミングを決定する。
【００７９】
上述したように、第１の実施形態によれば、被検体に生じた１つ以上の病変部位について、病変部位ごとにＭＲ診断画像又はＰＥＴ診断画像を生成することができる。
【００８０】
なお、本実施形態では、ＰＥＴ検出器が送信用高周波コイル５の内周側に設けられる場合の例について説明したが、ＰＥＴ検出器の配置はこれに限られない。図１２は、第１の実施形態に係るＰＥＴ検出器の配置に関する他の例を示す図である。図１２に示すように、例えば、ＰＥＴ検出器３０ａ及び３０ｂは、送信用高周波コイル５の外周側に設けられてもよい。
【００８１】
そして、ＰＥＴ検出器３０ａ及び３０ｂは、例えば、送信用高周波コイル５と傾斜磁場コイル３との間の空間で、ボアの軸方向へ移動可能に設けられる。この構成は、例えば、体部を撮像する場合に全身用送信用高周波コイルを送信用高周波コイル５とし、体部専用の表面コイルを受信用高周波コイル７とする場合などに用いられる。
【００８２】
（第２の実施形態）
次に、第２の実施形態について説明する。図１３は、第２の実施形態に係るＰＥＴ−ＣＴ装置の構成を示す図である。図１３に示すように、第２の実施形態に係るＰＥＴ−ＣＴ装置２００は、ＰＥＴ用架台装置４１と、ＣＴ用架台装置４２と、寝台４３と、計算機４４とを有する。
【００８３】
ＰＥＴ用架台装置４１は、被検体Ｐに投与された陽電子放出核種を取り込んだ組織から放出される一対のガンマ線を検出することで、ＰＥＴ画像を再構成するためのガンマ線投影データを生成する。
【００８４】
図１４は、第２の実施形態に係るＰＥＴ用架台装置４１の構成を示す図である。図１４に示すように、ＰＥＴ用架台装置４１は、ＰＥＴ検出器を構成する複数のＰＥＴ検出器モジュール４１ａ及びＰＥＴデータ収集部４１ｂを有する。
【００８５】
ＰＥＴ検出器モジュール４１ａは、例えば、被検体Ｐから放出されるガンマ線を検出するフォトンカウンティング（photon  counting）方式の検出器である。ＰＥＴ検出器は、複数のＰＥＴ検出器モジュール４１ａが、被検体Ｐの周囲をリング状に取り囲むように配置されることで構成される。例えば、ＰＥＴ検出器モジュール４１ａは、シンチレータと、光電子増倍管（ＰＭＴ：Photomultiplier  Tube）と、ライトガイドとを有するアンガー型の検出器である。
【００８６】
シンチレータは、被検体Ｐから放出されて入射したガンマ線を可視光に変換するＮａＩ（Sodium  Iodide）やＢＧＯ（Bismuth  Germanate）、ＬＹＳＯ（Lutetium  Yttrium  Oxyorthosilicate）、ＬＳＯ（Lutetium  Oxyorthosilicate）、ＬＧＳＯ（Lutetium  Gadolinium  Oxyorthosilicate）などが、２次元に複数個配列されて構成される。また、光電子増倍管は、シンチレータから出力された可視光を増倍して電気信号に変換する装置であり、ライトガイドを介して稠密に複数個配置される。ライトガイドは、シンチレータから出力された可視光を光電子増倍管に伝達するために用いられ、光透過性に優れたプラスチック素材などからなる。
【００８７】
ＰＥＴデータ収集部４１ｂは、ＰＥＴ検出器を介して同時計数データを収集する。具体的には、ＰＥＴデータ収集部４１ｂは、ＰＥＴ検出器によって検出されたガンマ線の計数情報を用いて、陽電子放出核種から放出されたガンマ線（消滅放射線を含む）を略同時に検出した計数情報の組み合わせたデータを生成することで、同時計数データを収集する。
【００８８】
ＣＴ用架台装置４２は、被検体Ｐを透過したＸ線を検出することで、Ｘ線ＣＴ画像を再構成するためのＸ線投影データや、撮影計画の立案に用いられるスキャノグラムを生成するためのＸ線投影データを生成する装置である。
【００８９】
図１５は、第２の実施形態に係るＣＴ用架台装置４２の構成を示す図である。図１５に示すように、ＣＴ用架台装置４２は、Ｘ線管４２ａ、Ｘ線検出器４２ｂ、回転フレーム４２ｃ、及びＣＴデータ収集部４２ｅを有する。
【００９０】
Ｘ線管４２ａは、Ｘ線を発生して被検体Ｐに照射する。Ｘ線検出器４２ｂは、Ｘ線管４２ａに対向する位置に配置され、被検体Ｐを透過したＸ線を検出する。具体的には、Ｘ線検出器４２ｂは、被検体Ｐを透過したＸ線の２次元強度分布のデータ（２次元Ｘ線強度分布データ）を検出する。回転フレーム４２ｃは、Ｘ線管４２ａとＸ線検出器４２ｂとを対向する位置にて支持する。
【００９１】
回転駆動部４２ｄは、Ｘ線管４２ａとＸ線検出器４２ｂとを被検体Ｐを略中心に回転させる。具体的には、回転駆動部４２ｄは、Ｘ線管４２ａとＸ線検出器４２ｂとを支持する回転フレーム４２ｃを、被検体Ｐを略中心に回転させる。
【００９２】
ＣＴデータ収集部４２ｅは、Ｘ線検出器４２ｂにより検出された２次元Ｘ線強度分布データを取得する。そして、ＣＴデータ収集部４２ｅは、取得した２次元Ｘ線強度分布データに対して増幅処理やＡ／Ｄ変換処理などを行なうことで、Ｘ線投影データを収集する。
【００９３】
図１３の説明に戻って、寝台４３は、被検体Ｐが載せられる天板４３ａを有する。この寝台４３は、撮像時には、ＰＥＴ用架台装置４１及びＣＴ用架台装置４２それぞれの撮影口の内側へ天板４３ａを移動する。
【００９４】
計算機４４は、ＰＥＴ−ＣＴ装置２００の全体を制御する。この計算機４４は、操作者から各種操作を受け付けるコンソール４５と、医用画像やＧＵＩなどの各種情報を表示するディスプレイ４６とを有する。また、計算機４４は、各種プログラムを実行させることで各種処理を実行するＣＰＵやメモリなどを有する。また、計算機４４は、収集制御部４４ａと、検出器制御部４４ｂと、寝台制御部４４ｃと、画像生成部４４ｄとを有する。これらの機能部は、例えば、上記ＣＰＵやメモリなどによって各種プログラムを実行することで実現される。
【００９５】
収集制御部４４ａは、操作者からの指示に応じて、ＰＥＴデータ収集部４１ｂ及びＣＴデータ収集部４２ｅを制御する。例えば、収集制御部４４ａは、ＰＥＴデータ収集部４１ｂとＣＴデータ収集部４２ｅとが同時にデータ収集を開始するように制御する。または、例えば、収集制御部４４ａは、ＰＥＴデータ収集部４１ｂがデータ収集を開始した後に、所定の時間が経過してからＣＴデータ収集部４２ｅがデータ収集を開始するように制御する。
【００９６】
検出器制御部４４ｂは、ＰＥＴ検出器及びＸ線検出器４２ｂの移動を制御する。具体的には、検出器制御部４４ｂは、ＰＥＴ用架台装置４１が有する開口部の軸方向へＰＥＴ検出器を移動する。また、検出器制御部４４ｂは、ＣＴ用架台装置４２が有する開口部の軸方向へＸ線検出器４２ｂを移動させる。
【００９７】
寝台制御部４４ｃは、被検体Ｐが載置される寝台４３の動作を制御する。例えば、寝台制御部４４ｃは、寝台４３を制御することで、被検体Ｐが載せられる天板４３ａをＰＥＴ用架台装置４１及びＣＴ用架台装置４２それぞれが有する開口部の軸方向へ移動させる。
【００９８】
画像生成部４４ｄは、ＰＥＴデータ収集部４１ｂによって収集された同時計数データからＰＥＴ診断画像を生成し、ＣＴデータ収集部４２ｅによって収集されたＸ線投影データからＣＴ診断画像を生成する。そして、画像生成部４４ｄは、生成したＰＥＴ診断画像及びＣＴ診断画像をディスプレイ４６に表示させる。
【００９９】
例えば、画像生成部４４ｄは、ＰＥＴ診断画像として、代謝イメージング（metabolic  imaging）画像や分子イメージング（molecular  imaging）画像などの機能画像を生成する。また、例えば、画像生成部４４ｄは、ＣＴ診断画像として、ＣＴＡ（ＣＴ  Angiography）画像やＤＳＡ（Digital  Subtraction  Angiography）画像などの形態画像や、パフュージョン画像などの機能画像を生成する。
【０１００】
このように、画像生成部１６ｄが、各種の診断画像を生成することで、被検体Ｐに生じた１つ以上の病変部位ごとに、当該病変部位の診断に適した診断画像を生成することができる。なお、ここでいう、診断とは、例えば、病変部位における血管性反応や代謝性反応を観察することである。例えば、血管性反応は、形態画像を診断画像として用いることによって観察することができる。また、代謝性反応は、機能画像を診断画像として用いることによって観察することができる。
【０１０１】
なお、第２の実施形態に係るＰＥＴ−ＣＴ装置２００による診断画像の撮像の流れは、検出器の種類や診断画像の種類が異なるだけで、基本的には、図６〜１１を用いて説明したＰＥＴ−ＭＲＩ装置１００による診断画像の撮像の流れと同じである。すなわち、第２の実施形態では、被検体Ｐの異なる領域ごとにＰＥＴ診断画像又はＣＴ診断画像が生成される。そして、操作者は、生成された各診断画像を観察することで、病変部位ごとに血管性反応や代謝性反応を観察することができる。
【０１０２】
上述したように、第２の実施形態によれば、被検体に生じた１つ以上の病変部位について、病変部位ごとにＰＥＴ診断画像又はＣＴ診断画像を生成することができる。
【０１０３】
なお、上記実施形態では、ＰＥＴ−ＭＲＩ装置及びＰＥＴ−ＣＴ装置について説明したが、医用画像診断装置の実施形態はこれに限られない。例えば、本願が開示する技術は、少なくとも２つのＰＥＴ検出器を備えたＰＥＴ装置でも実施が可能である。
【０１０４】
その場合には、ＰＥＴ装置が、第１のＰＥＴ検出器と、第２のＰＥＴ検出器と、第１の収集部と、第２の収集部と、画像生成部とを備える。第１のＰＥＴ検出器及び第２のＰＥＴ検出器は、それぞれ、被検体に投与された陽電子放出核種から放出されるガンマ線を検出する。また、第１の収集部は、第１のＰＥＴ検出器を介して被検体の第１の領域からデータを収集する。また、第２の収集部は、第２のＰＥＴ検出器を介して被検体の第１の領域とは異なる第２の領域からデータを収集する。そして、画像生成部は、第１の収集部によって収集されたデータから第１のＰＥＴ診断画像を生成し、第２のＰＥＴ収集部によって収集されたデータから第２のＰＥＴ診断画像を生成する。
【０１０５】
なお、上記ＰＥＴ装置による診断画像の撮像の流れは、検出器の種類や診断画像の種類が異なるだけで、基本的には、図６〜１１を用いて説明したＰＥＴ−ＭＲＩ装置１００による診断画像の撮像の流れと同じである。すなわち、上記ＰＥＴ装置によれば、被検体の異なる領域ごとにＰＥＴ診断画像が生成される。そして、操作者は、生成されたＰＥＴ診断画像を観察することで、病変部位ごとに血管性反応や代謝性反応を観察することができる。
【０１０６】
以上説明した各実施形態によれば、被検体に生じた１つ以上の病変部位について、病変部位ごとに診断画像を生成することができる。
【０１０７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０８】
１００  ＰＥＴ−ＭＲＩ装置
９  ＭＲデータ収集部
１２  ＰＥＴデータ収集部
１６  計算機
１６ｄ  画像生成部
【図１】
2013240586.tif 000003
【図２】
2013240586.tif 000004
【図３】
2013240586.tif 000005
【図４】
2013240586.tif 000006
【図５】
2013240586.tif 000007
【図６】
2013240586.tif 000008
【図７】
2013240586.tif 000009
【図８】
2013240586.tif 000010
【図９】
2013240586.tif 000011
【図１０】
2013240586.tif 000012
【図１１】
2013240586.tif 000013
【図１２】
2013240586.tif 000014
【図１３】
2013240586.tif 000015
【図１４】
2013240586.tif 000016
【図１５】
2013240586.tif 000017